(57)【特許請求の範囲】
【請求項１】
操作パネルと携帯端末とから操作可能な画像形成装置であって、
前記携帯端末を保持する保持手段と、
前記保持手段に保持された前記携帯端末の振動を検出する振動検出手段と、
前記携帯端末から無線で操作情報を受信する通信手段と、
前記通信手段による前記操作情報の受信タイミングと前記振動検出手段による振動検出タイミングとが一致した場合に、操作を受け付ける前記携帯端末を認識する端末認識手段とを備え、
前記携帯端末から操作を受け付ける場合に、前記操作パネルからの操作の受け付けを無効化する
ことを特徴とする画像形成装置。
【請求項２】
前記端末認識手段により前記携帯端末が認識された場合に、前記操作パネルからの操作の受け付けをソフトウェア的に無効化するパネル操作無効手段
を備えたことを特徴とする請求項１に記載の画像形成装置。
【請求項３】
前記保持手段は、前記操作パネルを覆う第１の位置と、前記操作パネルを露出する第２の位置とに移動可能に設けられ、
前記保持手段の前記操作パネル側の面には、前記保持手段が前記第１の位置に移動したときに、前記操作パネルに設けられた所定の操作ボタンを押す第１の突起部が設けられ、
前記所定の操作ボタンが押された場合、前記端末認識手段が有効になり、前記所定の操作ボタンが押されていない場合、前記端末認識手段が無効になる
ことを特徴とする請求項１又は２に記載の画像形成装置。
【請求項４】
前記保持手段は、前記操作パネルを覆う第１の位置と、前記操作パネルを露出する第２の位置とにスライド可能に設けられ、
前記保持手段の前記操作パネル側の面には、前記保持手段が前記第１の位置にスライドしたときに、前記操作パネルに設けられたタッチパネルに当接する第２の突起部が設けられ、
前記振動検出手段は前記タッチパネルである
ことを特徴とする請求項１から３までのいずれか１項に記載の画像形成装置。
【請求項５】
前記操作パネルは、表示手段と操作ボタンとを有し、
前記保持手段は、前記表示手段を露出させた状態で前記操作ボタンを覆う第１の位置と、前記表示手段と前記操作ボタンとを露出する第２の位置とに回動可能に設けられ、
前記表示手段は、前記所定の操作ボタンが押された場合に、前記携帯端末からの操作に伴う情報を表示する
ことを特徴とする請求項３に記載の画像形成装置。
【請求項６】
前記操作パネルは、本体内部に収納可能に構成されており、
前記操作パネルが収納されたか否かを検出する収納検出手段とを備え、
前記操作パネルが収納された場合、前記端末認識手段が有効になり、前記操作パネルが収納されていない場合、前記端末認識手段が無効になる
ことを特徴とする請求項１に記載の画像形成装置。
【請求項７】
前記振動検出手段は、前記保持手段を介して前記携帯端末の振動を検出する
ことを特徴とする請求項１から６までのいずれか１項に記載の画像形成装置。
【発明の詳細な説明】
【技術分野】
【０００１】
本発明は、携帯端末からの操作指示に基づいて動作制御される画像形成装置に関する。
【背景技術】
【０００２】
近年、画像形成装置では、携帯端末により操作可能な技術が提案されている（例えば、特許文献１、２を参照）。例えば、特許文献１には、ユーザーの所有する携帯端末を用いて画像形成装置を無線で操作する技術が提案されている。また、特許文献２には、リモコンが複数の電子機器の電界強度を測定し、複数の電子機器の中で最も電界強度が大きい電子機器、すなわち、リモコンから最も近い電子機器を操作対象機器として自動的に選択する技術が提案されている。
【先行技術文献】
【特許文献】
【０００３】
【特許文献１】特開２００５−０４５３０８号公報
【特許文献２】特開２００３−２５９４６６号公報
【発明の概要】
【発明が解決しようとする課題】
【０００４】
しかしながら、従来の技術では、画像形成装置が同時に複数の携帯端末から操作されたり、同時に携帯端末と操作パネルとから操作されたりすることがあり、その場合に誤動作することがあった。
【０００５】
本発明は上記課題に鑑みてなされたものであり、上記課題を解決する技術を提供することを目的とする。
【課題を解決するための手段】
【０００６】
本発明の画像形成装置は、操作パネルと携帯端末とから操作可能な画像形成装置であって、前記携帯端末を保持する保持手段と、前記保持手段に保持された前記携帯端末の振動を検出する振動検出手段と、前記携帯端末から無線で操作情報を受信する通信手段と、前記通信手段による前記操作情報の受信タイミングと前記振動検出手段による振動検出タイミングとが一致した場合に、操作を受け付ける前記携帯端末を認識する端末認識手段とを備え、前記携帯端末から操作を受け付ける場合に、前記操作パネルからの操作の受け付けを無効化することを特徴とする。
また、前記端末認識手段により前記携帯端末が認識された場合に、前記操作パネルからの操作の受け付けをソフトウェア的に無効化するパネル操作無効手段を備えてもよい。
また、前記保持手段は、前記操作パネルを覆う第１の位置と、前記操作パネルを露出する第２の位置とに移動可能に設けられ、前記保持手段の前記操作パネル側の面には、前記保持手段が前記第１の位置に移動したときに、前記操作パネルに設けられた所定の操作ボタンを押す第１の突起部が設けられ、前記所定の操作ボタンが押された場合、前記端末認識手段が有効になり、前記所定の操作ボタンが押されていない場合、前記端末認識手段が無効になってもよい。
また、前記保持手段は、前記操作パネルを覆う第１の位置と、前記操作パネルを露出する第２の位置とにスライド可能に設けられ、前記保持手段の前記操作パネル側の面には、前記保持手段が前記第１の位置にスライドしたときに、前記操作パネルに設けられたタッチパネルに当接する第２の突起部が設けられ、前記振動検出手段は前記タッチパネルであってもよい。
また、前記操作パネルは、表示手段と操作ボタンとを有し、前記保持手段は、前記表示手段を露出させた状態で前記操作ボタンを覆う第１の位置と、前記表示手段と前記操作ボタンとを露出する第２の位置とに回動可能に設けられ、前記表示手段は、前記所定の操作ボタンが押された場合に、前記携帯端末からの操作に伴う情報を表示してもよい。
また、前記操作パネルは、本体内部に収納可能に構成されており、前記操作パネルが収納されたか否かを検出する収納検出手段とを備え、前記操作パネルが収納された場合、前記端末認識手段が有効になり、前記操作パネルが収納されていない場合、前記端末認識手段が無効になってもよい。
また、前記振動検出手段は、前記保持手段を介して前記携帯端末の振動を検出してもよい。
【発明の効果】
【０００７】
本発明によれば、携帯端末から操作される場合に、画像形成装置が認識した携帯端末からの操作のみを受け付けることができる技術を提供できる。
【図面の簡単な説明】
【０００８】
【図１】本発明に係る実施の形態の画像形成装置の斜視図である。
【図２】図１に示す画像形成装置の構成を示すブロック図である。
【図３】図１に示す携帯端末の構成を示すブロック図である。
【図４】図１に示す画像形成装置の処理の流れを示すフローチャートである。
【図５】他の実施の形態の画像形成装置の斜視図である。
【図６】図５に示す操作パネルが保持部で覆われた状態を示す斜視図である。
【図７】図６に示すＡ−Ａ’断面図である。
【図８】他の実施の形態の画像形成装置の斜視図である。
【図９】図８に示す操作パネルが保持部で覆われた状態を示す斜視図である。
【発明を実施するための形態】
【０００９】
図１を参照すると、本実施形態における画像形成装置１の前面側には、操作パネル１０６と、携帯端末５を保持する保持部１０７とが配設されている。画像形成装置１は、操作パネル１０６と、保持部１０７に保持された携帯端末５とから操作可能に構成されている。
【００１０】
操作パネル１０６は、表示部１６１と操作ボタン１６２が設けられている。ユーザーは操作パネル１０６を操作して指示を入力することで、画像形成装置１の各種の設定を行い、画像形成等の各種機能を実行させる。表示部１６１は、画像形成装置１の状態を示したり、画像形成状況や印刷部数を表示したり、タッチパネルとして、両面印刷や白黒反転等の機能や倍率設定、濃度設定など各種設定を行えるようになっている。操作ボタン１６２としては、画像形成を開始するようにユーザーが指示するスタートボタン、画像形成を中止する際等に使用するストップ／クリアボタン、画像形成装置１の各種設定をデフォルト状態にする際に使用するリセットボタン、テンキー等が設けられている。
【００１１】
保持部１０７は、携帯端末５を載せるために設けられた板状の台であり、画像形成装置１の前面側に突出した構造を有している。保持部１０７には、振動を検出する振動検出部１０８が設けられている。振動検出部１０８は、加速度センサー等で構成されており、保持部１０７に置かれた携帯端末５の振動を検出する。具体的には、保持部１０７上に置かれた携帯端末５に対して、ユーザーが携帯端末５のボタンをタッチする等の操作を行った場合に、その操作に伴う振動（衝撃）が、携帯端末５を介して保持部１０７に伝わり、保持部１０７の振動が振動検出部１０８によって検出される。なお、本実施形態では、保持部１０７が台である場合を例に説明するが、保持部１０７は、携帯端末５を保持可能な構成であればよく、例えば、クリップなどにより携帯端末５を挟んで保持してもよい。
【００１２】
図２を参照すると、画像形成装置１の操作パネル１０６と振動検出部１０８とは、制御部１１２に接続され、制御部１１２によって動作制御される。また、制御部１１２には、原稿読取部１０１と記憶部１０２と画像処理部１０３と印刷部１０４と通信部１０５と端末認識部１０９とファクシミリ送受信部１１１が接続されている。
【００１３】
原稿読取部１０１は、図示しない原稿給紙装置により給紙されてきた原稿や、ユーザーによってプラテンガラスに載置された原稿に対して光を照射し、その反射光等を受光して原稿画像を読み取るスキャナーである。
【００１４】
記憶部１０２は、半導体メモリやＨＤＤ（Hard Disk Drive）等の記憶手段であり、原稿読取部１０１によって読み取られた画像データや、通信部１０５によって受信された画像データが蓄積される記憶手段である。
【００１５】
画像処理部１０３は、画像データに対して所定の画像処理を行う手段である。画像処理部１０３では、例えば、拡大縮小処理や、濃度調整、階調調整等の画像改善処理が行われる。
【００１６】
印刷部１０４は、記憶部１０２に記憶された画像データを印刷する印刷手段である。印刷部１０４は、例えば、記憶部１０２から読み出した画像データに基づき感光体ドラムの表面に潜像を形成し、トナーによってその潜像をトナー像とする画像形成を行い、その感光体ドラムから記録紙にトナー像を転写させ、そのトナー像を記録紙に定着させて排紙する。
【００１７】
通信部１０５は、無線ネットワークを介して携帯端末５との間で各種データを送受信する機能を有する。なお、通信部１０５は、有線ネットワークに接続されたアクセスポイントを介して無線ネットワークに接続されてもよい。また、通信部１０５は、有線ネットワークを介してコンピューター端末との間で各種データを送受信する機能を有してもよく、例えばコンピューター端末からプリントジョブを受信してもよい。
【００１８】
端末認識部１０９は、操作を受け付ける携帯端末５の認識処理を行う。具体的には、通信部１０５を介して携帯端末５から受信した操作情報の受信タイミングと、振動検出部１０８を介して保持部１０７の振動を検出したタイミングとが一致した場合に、操作情報を受信した携帯端末５を、操作を受け付ける携帯端末５として認識する。
【００１９】
パネル操作無効部１１０は、端末認識部１０９によって操作を受け付ける携帯端末５が認識されると、操作パネル１０６からの操作を受け付けないように操作パネル１０６を無効化する機能と、無効化を解除する機能を有する。例えば、パネル操作無効部１１０は、操作パネル１０６に操作キーを表示しないように制御したり、操作パネル１０６から入力された操作指示を無視するように制御してもよい。
【００２０】
ファクシミリ送受信部１１１は、モデムを有し、原稿読取部１０１によって読み取られた画像データや、記憶部１０２に記憶されている画像データからファクシミリ信号を生成し、生成したファクシミリ信号を公衆回線網経由で送信するファクシミリ送信機能と、公衆回線網経由でファクシミリ信号を受信するファクシミリ受信機能とを備えている。
【００２１】
制御部１１２は、ＲＯＭ（Read Only Memory）、ＲＡＭ（Random Access Memory）等を備えたマイクロコンピュータ等の情報処理部である。ＲＯＭには画像形成装置１の動作制御を行うための制御プログラムが記憶されている。制御部１１２は、ＲＯＭに記憶されている制御プログラムを読み出し、制御プログラムをＲＡＭに展開させることで、操作パネル１０６から入力された所定の指示情報や、端末認識部１０９によって認識された携帯端末５から送信された指示情報に応じて装置全体の動作制御を行う。
【００２２】
次に、図３を参照して携帯端末５の構成を説明する。携帯端末５は、スマートフォン、携帯電話、タブレット端末、ノートＰＣ又はＰＤＡ（Personal Digital Assistant）等で構成される。携帯端末５は、操作部５１と記憶部５２と通信部５３と制御部５４とを備えている。
【００２３】
操作部５１は、液晶表示パネルの表面に透明の感圧センサーが設けられた表示手段及び入力手段として機能するタッチパネルや、各種操作キーを備えたユーザーインターフェースである。
【００２４】
記憶部５２は、半導体メモリやＨＤＤ等の記憶手段であり、操作用ＡＰＰ５２１を記憶している。操作用ＡＰＰ５２１は、携帯端末５により画像形成装置１を操作可能にするためのアプリケーションプログラムであり、携帯端末５にインストールされた状態となっている。操作用ＡＰＰ５２１は、通信部５３を介してインターネット網などから携帯端末５にダウンロードしてインストール可能に構成されている。
【００２５】
通信部５３は、無線ネットワークを介して画像形成装置１との間で各種データを送受信する機能を有する。
【００２６】
制御部５４は、操作部５１、通信部５３及び記憶部５２にそれぞれ接続され、操作部５１から入力された所定の指示情報に応じて携帯端末５全体の動作制御を実行する。制御部５４は、ＲＯＭ、ＲＡＭ等を備えたマイクロコンピュータ等の情報処理部である。ＲＯＭには携帯端末５の動作制御を行うための制御プログラムが記憶されている。制御部５４は、ＲＯＭに記憶されている制御プログラムを読み出し、制御プログラムをＲＡＭに展開させることで、操作部５１から入力された所定の指示情報に応じて端末全体の制御を行う。
【００２７】
また、制御部５４は、操作部５１を介して操作用ＡＰＰ５２１を起動させる操作が行われたことを検出すると、記憶部５２に記憶された操作用ＡＰＰ５２１を読み出して、ＲＡＭに展開させて、操作用ＡＰＰ５２１を起動させる。これにより、制御部５４は、操作用ＡＰＰ５２１の機能を実現する画像形成装置操作処理部５４１として機能する。画像形成装置操作処理部５４１は、画像形成装置１における、プリント機能、コピー機能、ファクシミリ機能及びスキャナー機能等の操作が可能である。
【００２８】
以上の構成の画像形成装置１と携帯端末５について、画像形成装置１が携帯端末５からの操作を受け付ける処理の流れを、図４を参照して説明する。なお、振動検出部１０８は、常時、保持部１０７の振動を検出している。また、予め携帯端末５には、無線接続可能な画像形成装置１のアドレス情報（例えばＩＰアドレスなど）が記憶されているものとする。
【００２９】
まず、携帯端末５の制御部５４は、操作部５１を介して操作用ＡＰＰ５２１の起動操作が行われたか判定する（ステップＳ１１）。操作用ＡＰＰ５２１の起動操作が行われていない場合（ステップｓ１１でＮｏ）、ステップｓ１１に処理が戻る。操作用ＡＰＰ５２１の起動操作が行われると（ステップＳ１１でＹｅｓ）、制御部５４は操作用ＡＰＰ５２１を起動する（ステップＳ１２）。これにより、制御部５４により操作用ＡＰＰ５２１が記憶部５２から読み出されてＲＡＭに展開され、制御部５４が画像形成装置操作処理部５４１として機能する。また、携帯端末５が保持部１０７上に置かれた状態でユーザーが携帯端末５を操作することで、起動操作に伴う振動（衝撃）が携帯端末５を介して保持部１０７に伝わり、振動検出部１０８により検出される。つづいて、画像形成装置操作処理部５４１は、通信部５３を介して画像形成装置１に操作用ＡＰＰ５２１が起動したことを示す起動通知を送信する（ステップＳ１３）。起動通知は、通信部５３を介して無線ネットワーク経由で画像形成装置１に送信される。
【００３０】
一方、画像形成装置１の端末認識部１０９は、通信部１０５を介して起動通知を受信するまで待機しており（ステップｓ１４）、起動通知を受信していない場合（ステップｓ１４でＮｏ）、ステップｓ１４に処理を戻す。起動通知を受信すると（ステップｓ１４でＹｅｓ）、端末認識部１０９は、起動通知受信タイミングと振動検出部１０８による保持部１０７の振動検出タイミングとが一致するか判定する（ステップｓ１５）。なお、通信部１０５が起動通知を受信したタイミングと、振動検出部１０８が携帯端末５における操作用ＡＰＰ５２１の起動操作による保持部１０７の振動を検出したタイミングとは、保持部１０７上に携帯端末５が置かれた状態で操作用ＡＰＰ５２１の起動操作が行われた場合に一致するように設定されている。例えば、端末認識部１０９は、通信部１０５を介して起動通知を受信した前後所定時間以内に、振動検出部１０８を介して保持部１０７の振動を検出した場合に、起動通知受信タイミングと振動検出タイミングとが一致したと判定してもよい。
【００３１】
起動通知受信タイミングと振動検出部１０８による保持部１０７の振動検出タイミングとが一致しない場合（ステップｓ１５でＮｏ）、端末認識部１０９は、通信部１０５を介して携帯端末５に認識失敗の旨を送信して（ステップｓ１６）、本処理を終了する。一方、起動通知受信タイミングと振動検出部１０８による保持部１０７の振動検出タイミングとが一致した場合（ステップｓ１５でＹｅｓ）、端末認識部１０９により起動通知を受信した携帯端末５が操作を受け付ける携帯端末５として認識され、制御部１１２は、通信部１０５を介して携帯端末５に認識成功の旨を送信して（ステップｓ１７）、パネル操作無効部１１０により操作パネル１０６を無効化する（ステップｓ１８）。
【００３２】
携帯端末５の画像形成装置操作処理部５４１は、起動通知を送信すると、認識に成功したか判定する（ステップｓ１９）。認識に失敗した場合（ステップｓ１９でＮｏ）、画像形成装置操作処理部５４１は、認識に失敗した旨を通知して（ステップｓ２０）、本処理を終了する。一方、認識に成功した場合（sステップｓ１９でＹｅｓ）、画像形成装置操作処理部５４１は、ユーザーから画像形成装置１に対する操作指示を受け付ける（ステップＳ２１）。
【００３３】
つづいて、画像形成装置操作処理部５４１は、送信操作がされたか判定し（ステップｓ２２）、送信操作がされていなければ（ステップｓ２２でＮｏ）、ステップｓ２１に処理を戻す。送信操作がされると（ステップｓ２２でＹｅｓ）、画像形成装置操作処理部５４１は、通信部５３を介して無線ネットワーク経由で送信指示を画像形成装置１に送信する（ステップｓ２３）。また、携帯端末５が保持部１０７上に置かれた状態でユーザーが携帯端末５を操作することで、送信操作に伴う振動（衝撃）が携帯端末５を介して保持部１０７に伝わり、振動検出部１０８により検出される。
【００３４】
画像形成装置１の端末認識部１０９は、操作パネル１０６が無効化されると、携帯端末５からの操作指示を受信するまで待機する（ステップｓ２４）。操作指示を受信していない場合（ステップｓ２４でＮｏ）、ステップｓ２４に処理が戻る。なお、操作パネル１０６を無効化してから所定時間たっても携帯端末５から操作指示を受信しなかった場合、端末認識部１０９は、パネル操作無効部１１０を介して操作パネル１０６の無効を解除し、本処理を終了してもよい。
【００３５】
一方、操作指示を受信すると（ステップｓ２４でＹｅｓ）、端末認識部１０９は、操作指示受信タイミングと振動検出部１０８による保持部１０７の振動検出タイミングとが一致するか判定する（ステップｓ２５）。なお、通信部１０５が操作指示を受信したタイミングと、振動検出部１０８が携帯端末５における操作指示の送信操作による保持部１０７の振動を検出したタイミングとは、保持部１０７上に携帯端末５が置かれた状態で送信操作が行われた場合に一致するように設定されている。
【００３６】
操作指示受信タイミングと振動検出部１０８による保持部１０７の振動検出タイミングとが一致しない場合（ステップｓ２５でＮｏ）、端末認識部１０９により操作指示を受信した携帯端末５が操作を受け付ける携帯端末５として認識されず、制御部１１２は、通信部１０５を介して携帯端末５に認識失敗の旨を送信して（ステップｓ２８）、本処理を終了する。逆に、操作指示受信タイミングと振動検出部１０８による保持部１０７の振動検出タイミングとが一致した場合（ステップｓ２５でＹｅｓ）、端末認識部１０９により操作指示を受信した携帯端末５が操作を受け付ける携帯端末５として認識され、制御部１１２は、受信した操作指示に基づいて動作する（ステップｓ２６）。つづいて、端末認識部１０９は、パネル操作無効部１１０を介して操作パネル１０６の無効化を解除して（ステップｓ２７）、本処理を終了する。
【００３７】
携帯端末５の画像形成装置操作処理部５４１は、操作指示を送信すると、所定時間内に認識失敗を受信したか判定し（ステップｓ２９）、認識失敗を受信していない場合（ステップｓ２９でＮｏ）、本処理を終了する。この場合、携帯端末５は保持部１０７上に置かれた状態でユーザーにより操作されており、画像形成装置が携帯端末５からの操作指示に基づいて動作するので、ユーザーは携帯端末５が正常に認識されたことが分かる。一方、認識失敗を受信した場合（ステップｓ２９でＹｅｓ）、画像形成装置操作処理部５４１は、認識失敗を通知して（ステップｓ２０）、本処理を終了する。
【００３８】
このように、本実施形態では、携帯端末５を保持部１０７に置いた状態で操作用ＡＰＰ５２１に対する操作をユーザーが行うことにより、携帯端末５から無線ネットワーク経由で操作用ＡＰＰ５２１を介した操作情報（起動通知や操作指示）が画像形成装置１に送信される。それとともに、ユーザー操作に伴う振動が携帯端末５を介して保持部１０７に伝わり、振動検出部１０８により保持部１０７における振動が検出される。画像形成装置１の端末認識部１０９は、携帯端末５から受信した操作情報の受信タイミングと、振動検出部１０８により検出された保持部１０７の振動検出タイミングとが一致した場合に、操作指示を受信した携帯端末５を、操作を受け付ける携帯端末５として認識し、パネル操作無効部１１０を介して操作パネル１０６を無効化する。制御部１１２は、端末認識部１０９により認識された携帯端末５からの操作指示に基づいて動作する。そのため、本実施形態によれば、画像形成装置１は、携帯端末５からの操作を受け付ける場合に、パネル操作無効部１１０により操作パネル１０６を無効化しているので、操作パネル１０６に物が置かれたり手が触れたりしたときに生じる誤動作を防止することができる。また、このように、保持部１０７上に置かれた携帯端末５からの操作のみを受け付けるようにすることにより、画像形成装置１が操作指示を受け付ける携帯端末５を明確にすることができるとともに、画像形成装置１が使用されている状況を遠目からでも明らかにすることができる。
【００３９】
以上、本発明は上述した実施の形態に限定されるものではなく、本発明の趣旨を逸脱しない範囲で種々様々に変更が可能であることは言うまでもない。
【００４０】
例えば、上記処理では、画像形成装置１は、認識した携帯端末５からの操作指示に基づいて動作し終えると、操作パネル１０６の無効化を解除して処理を終了したが、携帯端末５を認識してから所定時間の間、引き続き操作パネル１０６の無効化を維持して、認識した携帯端末５からの操作を受け付けてもよい。例えば、端末認識部１０９は、所定時間以内に再び携帯端末５から受信した場合に、操作指示の受信タイミングと、振動検出部１０８により保持部１０７の振動を検出したタイミングとが一致した場合、パネル操作無効部１１０による操作パネル１０６の無効化状態を維持し、この携帯端末５からの操作指示に基づいて動作してもよい。なお、端末認識部１０９は、所定時間内に受信した携帯端末５からの操作指示受信タイミングと保持部１０７の振動検出タイミングとが不一致だったり、所定時間経過しても携帯端末５から操作指示を受信しなかったりした場合、パネル操作無効部１１０により操作パネル１０６の無効化を解除し、処理を終了するようにしてもよい。
【００４１】
また、上記処理において、携帯端末５は、個体識別番号を起動通知に含めて画像形成装置１に送信してもよい。画像形成装置１は、起動通知の受信タイミングと保持部１０７の振動検出タイミングとが一致し、起動通知に携帯端末５の個体識別番号が含まれていた場合、その後に、この個体識別番号が含まれる操作指示を受信すると、操作指示受信タイミングと保持部１０７の振動検出タイミングとが一致するかどうか判定することなく、受信した操作指示に基づいて動作してもよい。
【００４２】
また、携帯端末５に振動手段を設け、操作用ＡＰＰ５２１に対する操作が行われた場合に、振動手段により所定の振動パターンで携帯端末５を振動させてもよい。この場合、振動検出部１０８は、保持部１０７が所定の振動パターンで振動したことを検出した場合に、保持部１０７に置かれた携帯端末５が振動したと検出してもよい。
【００４３】
また、上記処理では、パネル操作無効部１１０によりソフトウェア的に操作パネル１０６を無効化したが、これに限らない。
【００４４】
例えば、図５、図６は、操作パネル１０６を覆うことが可能に保持部７０７を設けた画像形成装置７０の斜視図である。図５は、保持部７０７が画像形成装置７０に収納された状態の図であり、図６は、保持部７０７を画像形成装置７０からスライドさせて引き出した状態の図である。図５に示すように、保持部７０７は、操作パネル１０６の上方に位置するように画像形成装置７０に設けられており、画像形成装置７０に収納可能となっている。図６に示すように、保持部７０７が画像形成装置１から引き出されると、保持部７０７は、操作パネル１０６を覆った状態になる。つまり、保持部７０７が操作パネル１０６のカバー部材になっている。また、図７に示すように、保持部７０７の操作パネル１０６側の面には、操作パネル１０６を覆った状態のときに、操作ボタン１６２ａに当接して押し込む第１突起部７７１と、表示部１６１に当接する第２突起部７７２とが設けられている。第１突起部７７１に当接する操作ボタン１６２ａは、所定の操作ボタン１６２であればよいが、専用に設けられてもよい。
【００４５】
ユーザーは、携帯端末５を用いて画像形成装置７０の操作を行う場合には、板状の保持部７０７を操作パネル１０６上に被せるように引き出して、保持部７０７の上（保持部の操作パネル１０６側の面の反対の面）に携帯端末５を置いて操作を行う。これによれば、操作パネル１０６は保持部７０７によって物理的に無効化される。
【００４６】
第１突起部７７１に当接する操作ボタン１６２ａが押されている状態で（操作パネル１０６がカバー部材で覆われている状態で）、携帯端末５からの操作情報の受信タイミングと、この操作情報の送信操作による保持部７０７の振動検出タイミングとが一致すると、端末認識部１０９により、操作情報を受信した携帯端末５が操作を受け付ける携帯端末５として認識される。制御部１１２は、端末認識部１０９により認識された携帯端末５からの操作を受け付ける。この場合、保持部７０７の振動を振動検出部１０８により検出するのではなく、第２突起部７７２を介して表示部１６１のタッチパネル機能により振動を検出してもよい。この場合、表示部１６１を振動検出部として兼用できるので、保持部７０７に振動検出部１０８を設けなくてもよい。操作パネル１０６がカバー部材で覆われている状態では、表示部１６１は、振動検出部としてのみ機能するようにパネル操作無効部１１０により制御してもよい。
【００４７】
なお、第１突起部７７１は、保持部７０７に複数設けられてもよい。この場合、複数の第１突起部７７１はそれぞれ所定の操作ボタン１６２に当接するように設けられる。複数の第１突起部７７１に当接するそれぞれの所定の操作ボタン１６２が押されたことが検出された場合に、操作パネル１０６がカバー部材で覆われていると判定されてもよい。また、表示部１６１に当接する第２突起部７７２を保持部７０７に複数設けてもよく、複数の第２突起部７７２が振動検出部として機能してもよい。
【００４８】
また、図８、図９に示すように、操作パネル１０６の表示部１６１を露出させた状態で操作ボタン１６２を覆うことが可能なように保持部８０７を設けてもよい。図８は、保持部８０７が操作パネル１０６を覆っていない状態を示す図であり、図９は、保持部８０７が操作パネル１０６の操作ボタンを覆っている状態を示す図である。保持部８０７は、操作パネル１０６の下端部に設けられた軸８７１を介して、操作ボタン１６２を覆わない位置（図８）と、操作ボタン１６２を覆う位置（図９）とに回動可能に構成されている。また、保持部８０７の操作パネル１０６側の面には、操作パネル１０６を覆った状態のときに所定の操作ボタン１６２に当接して押し込む第１突起部７７１が設けられている。これによれば、第１突起部７７１に当接する所定の操作ボタン１６２が押された場合、表示部１６１に携帯端末５からの操作に伴う情報（例えば、操作受付状況や動作状況、操作案内等）を表示させることができる。この場合も、保持部８０７が操作パネル１０６のカバー部材となって、操作ボタン１６２を物理的に無効化することができる。なお、表示部１６１は、操作ボタン１６２がカバー部材で覆われている状態では、パネル操作無効部１１０によりタッチパネル機能が無効化される。
【００４９】
また、上記の図５〜図９において、制御部１１２は、カバー部材で覆っている状態の場合（第１突起部７７１に当接する所定の操作ボタン１６２が押下されたことを検出した場合）に、端末認識部１０９を有効に設定して、携帯端末５の認識処理を行わせ、カバー部材で覆っていない状態の場合（第１突起部７７１に当接する所定の操作ボタンが押下されていないことを検出した場合）に、端末認識部１０９を無効に設定して、携帯端末５の認識処理を行わせないようにしてもよい。
【００５０】
なお、図１に示す操作パネル１０６が、画像形成装置１の内部に収納可能に設けられてもよい。制御部１１２は、例えば収納部に設けられた押しボタン式のスイッチ等により、操作パネル１０６が画像形成装置１に収納されたことを検出した場合に、端末認識部１０９を有効に設定し、操作パネル１０６が画像形成装置１に収納されていないことを検出した場合に、端末認識部１０９を無効に設定してもよい。
【００５１】
なお、本発明では、通信手段による操作情報の受信タイミングと振動検出手段による振動検出タイミングとが一致した場合とは、振動検出手段により振動を検出してから予め定められた時間以内に、通信手段により携帯端末からの操作情報を受信した場合を言う。なお、通信手段による操作情報の受信タイミングと振動検出手段による振動検出タイミングとが一致した場合には、通信手段により携帯端末からの操作情報を受信してから予め定められた時間以内に、振動検出手段により保持手段の振動が検出された場合も含む。
【符号の説明】
【００５２】
１、７０、８０  画像形成装置
５  携帯端末
５１  操作部
５２  記憶部
５３  通信部
５４  制御部
１０１  原稿読取部
１０２  記憶部
１０３  画像処理部
１０４  印刷部
１０５  通信部
１０６  操作パネル
１０７、７０７、８０７  保持部
１０８  振動検出部
１０９  端末認識部
１１０  パネル操作無効部
１１１  ファクシミリ送受信部
１１２  制御部
１６１  表示部
１６２、１６２ａ  操作ボタン
５２１  操作用ＡＰＰ
５４１  画像形成装置操作処理部
７７１  第１突起部
７７２  第２突起部
８７１  軸部
【図１】
0006016824.tif 000002
【図２】
0006016824.tif 000003
【図３】
0006016824.tif 000004
【図４】
0006016824.tif 000005
【図５】
0006016824.tif 000006
【図６】
0006016824.tif 000007
【図７】
0006016824.tif 000008
【図８】
0006016824.tif 000009
【図９】
0006016824.tif 000010